(57)【要約】【課題】設置方向を選択でき、線フレーム主体の展開と収納をスムーズに制御できるコード整理フレームの連接構造を提供する。【解決手段】線フレーム主体１、サポートフレーム２、サポートスライドブロック３、サポート嵌合部品４及び２個の設置部品５を含む。線フレーム主体１は、前アームフレーム１１、後アームフレーム１２、中間フレーム１３及びスライドカバー１４を含み、スライドカバー１４は中間フレーム１３に連接している。サポートフレーム２の両端はそれぞれサポートスライドブロック３とサポート嵌合部品４に連結し、しかも設置部品５は線フレーム主体１の両端に連接している。中間フレーム１３とスライドカバー１４は相互に可動接続し、スライドカバー１４は中間フレーム１３に相対して一定の角度範囲内で回転移動する。【選択図】図１
0003135979.tif 000002
【実用新案登録請求の範囲】
【請求項１】
線フレーム主体、サポートフレーム、サポートスライドブロック、サポート嵌合部品及び２個の設置部品を備え、
前記線フレーム主体は前アームフレーム、後アームフレーム、中間フレーム及びスライドカバーを有し、前記スライドカバーは前記中間フレームに連接し、前記サポートフレームに嵌設され、前記サポートフレームの両端はそれぞれ前記サポートスライドブロックと前記サポート嵌合部品に連結し、前記設置部品は前記線フレーム主体の両端に連接し、前記中間フレームと前記スライドカバーは相互に可動接続し、前記中間フレームと前記スライドカバーに弧状槽とガードが対応設置され、こうして前記スライドカバーは前記中間フレームに相対し、一定の角度範囲内で回転移動することを特徴とするコード整理フレーム。
【請求項２】
２個の前記設置部品は、それぞれ屈折片を連接し、その内の１個の設置部品はその内の１個の屈折片により前記前アームフレームに連接し、もう１個の設置部品はもう１個の屈折片により前記後アームフレームに連接することを特徴とする請求項１記載のコード整理フレーム。
【請求項３】
前記サポートフレームは、外棒と内棒を含み、前記内棒は前記外棒内に穿接し、前記サポートスライドブロックは可動接続片を備え、前記サポートフレームの外棒の一端は前記サポート嵌合部品に連接し、内棒の一端は前記サポートスライドブロックの可動接続片に連接し、しかもスライドカバーは前記外棒に嵌設されていることを特徴とする請求項１記載のコード整理フレーム。
【請求項４】
前記サポートスライドブロックには押圧部が設置され、前記押圧部は弾性湾曲可能であることを特徴とする請求項１記載のコード整理フレーム。
【請求項５】
前記サポートスライドブロックの背面には凸ブロックが設置されていることを特徴とする請求項１記載のコード整理フレーム。
【請求項６】
前記コード整理フレームの連接構造は、別に滑動組合せ部品を含み、前記滑動組合せ部品は内レール、中レール及び外レールを含み、
前記内レールと前記外レールの後端には共に係合接続台が設置され、前記係合接続台の上下側には折片とガード片が設置され、中央には係合固定体が設置され、前記中レールの後端には固定片が設置され、前記固定片上には穿孔が設置され、前記設置部品と前記サポート嵌合部品上にはそれぞれ係合固定ボタンが設置され、前記係合接続台と前記固定片に対応することを特徴とする請求項１記載のコード整理フレーム。
【請求項７】
前記係合固定ボタンは、筒体、栓棒、プルボタン及び弾性部品を含み、前記筒体内には前記弾性部品が収納され、しかも前記栓棒は前記筒体内及び前記弾性部品内に穿入し、前記栓棒は前記プルボタンに接続し、前記弾性部品は前記筒体及び前記栓棒を押上げて支え、前記プルボタンと前記栓棒は弾性部品の作用を受け、前記栓棒は恒常的に凸伸し、前記係合接続台と前記固定片において接触停止することを特徴とする請求項６記載のコード整理フレーム。
【請求項８】
前記外レールの後端には弾性ガード部品が設置され、前記弾性ガード部品は２個の係合固定脚を備え、前記係合固定脚はガード面を備えることを特徴とする請求項６記載のコード整理フレーム。
【考案の詳細な説明】
【技術分野】
【０００１】
本考案は、一種のコード整理フレームに関する。特に、一種のサポートフレームを備えたコード整理フレームで、コード整理フレームの設置部品を滑動組合せ部品の左辺或いは右辺の双方向に任意に選択して組み合わせることができるコード整理フレームの連接構造に関する。
【背景技術】
【０００２】
引き出し式スライドレールの保存空間上に置く電子製品（サーバーなど）は、その両側にスライドレールを設置し、これにより電子製品は該スライドレールに対応してスライド移動し、コード整理フレームによりケーブルを収納し、制限する。
これらコード整理フレームは、通常は、スライドレールを組合せて実施し、コード整理フレームは一端及び反対端にサポート点を備える。さらに、該コード整理フレームの両端の間には折畳み部品（通常はちょうつがい）を備え、折畳み可能で、折畳み時には、コード整理フレームの折畳み部品はオーバーハング状態となり、どちらのサポート点からも離れる。しかし、ケーブル及びコード整理フレームそのものは重量を備えるため、長く使用すると、コード整理フレームの折畳み部品は下垂し、密集して重ね設置する保存空間の操作に影響を及ぼす。
最近の技術では、米国特許公開案第２００６／００８１７３５  Ａ１号、第２００６／００８１７３６  Ａ１号、第２００６／０１１３４３３  Ａ１号などのように、スライドレールを組合せ実施し、コード整理フレームの重量の一部を分担し、コード整理フレーム折畳み部品の下垂を防止する設計も見られる。
【０００３】
【特許文献１】米国特許公開案第２００６／００８１７３５  Ａ１号
【特許文献２】米国特許公開案第２００６／００８１７３６  Ａ１号
【特許文献３】米国特許公開案第２００６／０１１３４３３  Ａ１号
【考案の開示】
【考案が解決しようとする課題】
【０００４】
本考案は、上記構造の問題点を解決したコード整理フレームの連接構造を提供するものである。
【課題を解決するための手段】
【０００５】
上記課題を解決するため、本考案は、下記のコード整理フレームの連接構造を提供する。
本考案は、コード整理フレームの連接構造を提供し、これにより、公知コード整理フレームのオーバーハング端が下垂し易いという欠点を解決し、さらに、滑動組合せ部品に設置する方向を操作者が選択可能とし、設置をより容易とする利便性を達成する。
本考案のコード整理フレームの連接構造は、線フレーム主体、サポートフレーム、サポートスライドブロック、サポート嵌合部品及び２個の設置部品を含む。
【０００６】
該線フレーム主体は前アームフレーム、後アームフレーム、中間フレーム及びスライドカバーを含み、該スライドカバーは該中間フレームに連接し、該サポートフレームに嵌設し、該サポートフレーム両端はそれぞれ該サポートスライドブロックと該サポート嵌合部品に連結し、しかも該設置部品は該線フレーム主体の両端に連接し、及び該中間フレームと該スライドカバーは相互に可動接続し、該中間フレームと該スライドカバーには弧状槽とガードを対応設置し、こうして該スライドカバーは該中間フレームに相対し、一定の角度範囲内で回転移動する。
【０００７】
該２個の設置部品はそれぞれ屈折片を連接し、その内の１個の設置部品はその内の１個の屈折片により該前アームフレームに連接し、及びもう１個の設置部品はもう１個の屈折片により該後アームフレームに連接する。
該サポートフレームは外棒と内棒を含み、該内棒は該外棒内に穿接し、該サポートスライドブロックは可動接続片を備え、該サポートフレームの外棒の一端は該サポート嵌合部品に連接し、該内棒の一端は該サポートスライドブロックの可動接続片に連接し、しかも該スライドカバーは該外棒に嵌設している。
【０００８】
該サポートスライドブロックには押圧部を設置し、該押圧部は弾性湾曲可能である。
該サポートスライドブロック背面には凸ブロックを設置している。
本考案のコード整理フレームの連接構造は、さらに滑動組合せ部品を含む。
該滑動組合せ部品は内レール、中レール及び外レールを含み、該内レールと該外レールの後端には共に係合接続台を設置し、該係合接続台は折片、ガード片及び係合固定体を備え、該設置部品を該係合接続台の折片内に挿入し、該ガード片と相互に接触して押さえる。該設置部品上には係合固定ボタンを設置し、係合接続台に対応して定位し、該中レール後端には固定片を設置し、該固定片は穿孔を備え、これにより、該サポート嵌合部品を該固定片に嵌設し、該サポート嵌合部品上には係合固定ボタンを設置し、該固定片に対応して定位する。
【０００９】
該係合固定ボタンは、筒体、栓棒、プルボタン及び弾性部品を含み、該筒体内には該弾性部品を収納し、しかも該栓棒は該筒体内及び該弾性部品内に穿入し、該栓棒は該プルボタンに接続し、該弾性部品は該筒体及び該栓棒を押上げて支え、これにより、該プルボタンと該栓棒は弾性部品作用を受け、こうして該栓棒は恒常的に凸伸し、該係合接続台と該固定片において接触停止する。
【００１０】
該外レールの後端には弾性ガード部品を設置し、該弾性ガード部品は２個の係合固定脚を備え、該係合接続台の両側、該サポートスライドブロックの押圧部に対応し、しかも該係合固定脚はガード面を備え、こうして該サポートスライドブロックの凸ブロックを接触停止させる。
【００１１】
公知技術に比べ、本考案は以下の長所を備える。
ａ．線フレーム主体の両端の設置部品は内レール、外レール後端の係合接続台に対応し、互換組み立てが可能で、これにより、線フレーム主体が連結する滑動組合せ部品のサポート点は滑動組合せ部品の左辺或いは右辺を選択することができる。
ｂ．線フレーム主体の中間フレームは回転移動のスライドカバーによりサポートフレームに嵌設され、線フレーム主体は全行程のサポート効果を備え、しかもスライドカバーの回転角度は線フレーム主体の展開、収納をスムーズに制御する。
【考案の効果】
【００１２】
上記のように、本考案の線フレーム主体の両端の設置部品は内レール、外レール後端の係合接続台に対応し、互換組み立てが可能で、これにより、線フレーム主体が連結する滑動組合せ部品のサポート点は滑動組合せ部品の左辺或いは右辺を選択することができる。さらに、線フレーム主体の中間フレームは回転移動のスライドカバーによりサポートフレームに嵌設され、線フレーム主体は全行程のサポート効果を備え、しかもスライドカバーの回転角度は線フレーム主体の展開、収納をスムーズに制御することができる。
【考案を実施するための最良の形態】
【００１３】
図１と図２に示すように、本考案の一実施例によるコード整理フレームの連接構造は、線フレーム主体１、サポートフレーム２、サポートスライドブロック３、サポート嵌合部品４、２個の設置部品５、２個の屈折片６及び係合固定ボタン７を備える。
該線フレーム主体１は、前アームフレーム１１、後アームフレーム１２、中間フレーム１３及びスライドカバー１４を有する。中間フレーム１３は前アームフレーム１１と後アームフレーム１２との間に可動に接続する。スライドカバー１４は中間フレーム１３に可動に接続し、中間フレーム１３とスライドカバー１４には弧状槽１３１とガード１４１を対応して設置し、これにより、スライドカバー１４は中間フレーム１３に相対し、一定の角度範囲内で回転移動する。
【００１４】
サポートフレーム２は、外棒２１と内棒２２を含む。内棒２２は外棒２１内に穿接し、外棒２１は線フレーム主体１のスライドカバー１４を嵌接する。
サポートスライドブロック３は、底部に可動接続片３１を設置し、しかも両側には押圧部３２を設置する。押圧部３２は弾性湾曲が可能で、両側押圧部３２の間のサポートスライドブロック３背面には別に凸ブロック３３を設置する。サポートスライドブロック３は、可動接続片３１とサポートフレーム２の内棒２２により連接する。
【００１５】
サポート嵌合部品４の上には係合固定ボタン７を設置し、サポート嵌合部品４はサポートフレーム２の外棒２１と連接する。
設置部品５の上には係合固定ボタン７を設置し、設置部品５は屈折片６に連接する。
屈折片６はさらに線フレーム主体１の前アームフレーム１１、後アームフレーム１２に連接し、こうして該２個の設置部品５は線フレーム主体１の両端に位置する。
【００１６】
係合固定ボタン７は、図３に示すように、筒体７１、栓棒７２、プルボタン７３及び弾性部品７４を含む。
筒体７１内には弾性部品７４を収納し、しかも栓棒７２は筒体７１内及び弾性部品７４内に穿入する。栓棒７２はプルボタン７３に接続し、弾性部品７４は筒体７１及び栓棒７２を押上げ、これにより、プルボタン７３と栓棒７２は弾性部品７４の作用を受け、栓棒７２は恒常的に凸伸する。また、係合固定ボタン７は筒体７１により設置部品５、サポート嵌合部品４においてリベット固定される。
【００１７】
図４に示すように、コード整理フレームを実施組立てる滑動組合せ部品８は、内レール８１、中レール８２及び外レール８３を含む。
内レール８１と外レール８３の後端にはそれぞれ係合接続台８４、係合接続台８４’を設置し、中レール８２後端には固定片８５を設置する。係合接続台８４、係合接続台８４’は、上下側に折片８４１、折片８４１’とガード片８４２、ガード片８４２’を備え、中央位置に係合固定体８４３、係合固定体８４３’を設置する。該固定片８５は穿孔８５１を備え、外レール８３の後端には弾性ガード部品８６を設置する。弾性ガード部品８６は２個の係合固定脚８６１を備え、外レール８３後端の係合接続台８４’両側に対応し、しかも係合固定脚８６１端部はガード面８６２を備える。
【００１８】
上記実施例の設置使用時には、図５に示すように、滑動組合せ部品８は別に前受止めフレーム９１、後受止めフレーム９２を結合し、前受止めフレーム９１、後受止めフレーム９２は支柱９３上に架設する。コード整理フレームの組立ては、線フレーム主体１両端の２個の設置部品５により滑動組合せ部品８に連接する。
図６と図７に示すように、線フレーム主体１の前アームフレーム１１は設置部品５により内レール８１後端の係合接続台８４の折片８４１内に挿入され、ガード片８４２において接触停止する。設置部品５上の係合固定ボタン７は栓棒７２により係合接続台８４の係合固定体８４３に挿入停止する。同様に、線フレーム主体１の後アームフレーム１２は設置部品５により外レール８３後端の係合接続台８４’に挿入され、設置部品５は係合接続台８４’の折片８４１’内に挿入され、ガード片８４２’において停止する。しかも設置部品５上の係合固定ボタン７は栓棒７２により係合接続台８４’の係合固定体８４３’に接触し、設置部品５を定位する。
【００１９】
さらに、図８に示すように、サポートフレーム２の一端は内棒２２が連接するサポートスライドブロック３により外レール８３内部においてスライド設置し、反対端は図９に示すように外棒２１が連接するサポート嵌合部品４により中レール８２後端の固定片８５に嵌設する。また、図７に示すように、これにより、サポート嵌合部品４上の係合固定ボタン７は栓棒７２により固定片８５の穿孔８５１に挿入される。
【００２０】
前記サポートスライドブロック３を外レール８３に入れる時には、図１０に示すように、サポートスライドブロック３は外レール８３後端により挿入する。これにより、サポートスライドブロック３の凸ブロック３３は弾性ガード部品８６の係合固定脚８６１を圧迫停止して通過し、サポートスライドブロック３が弾性ガード部品８６を通過後、サポートスライドブロック３は後退移動する。また、凸ブロック３３により係合固定脚８６１端部のガード面８６２において停止して外レール８３から離脱しない。
【００２１】
サポートスライドブロック３を分解する時には、図１１に示すように、サポートスライドブロック３を係合固定脚８６１のガード面８６２まで後退させる。これにより、サポートスライドブロック３の押圧部３２は係合固定脚８６１に対応する。この時、サポートスライドブロック３の押圧部３２を押すことにより、押圧部３２は係合固定脚８６１を圧迫し、係合固定脚８６１のガード面８６２はサポートスライドブロック３の凸ブロック３３を押さえ付けなくなる。こうしてサポートスライドブロック３は、外レール８３後端から取外される。
【００２２】
上記実施例において、コード整理フレームがスライドレール組合せ部品の引き伸ばしに従って動作する時には、図１２に示すように、線フレーム主体１の前アームフレーム１１、サポートフレーム２の外棒２１が連接するサポート嵌合部品４は、内レール８１、中レール８２の引き伸ばしに従って先に移動する。サポートフレーム２反対端は内棒２２が連接するサポートスライドブロック３により、外レール８３上において自由にスライド移動する。この時、サポートフレーム２の外棒２１、内棒２２は引き伸ばされ、サポートフレーム２は一定角度の傾斜を呈する。しかも、線フレーム主体１の中間フレーム１３はスライドカバー１４によりサポートフレーム２上において一定距離のスライド移動を行う。スライドカバー１４も中間フレーム１３に相対して一定角度の回転移動を行い、これにより、線フレーム主体１の前アームフレーム１１と後アームフレーム１２は異なる角度の展開を呈する。
【００２３】
続いて、図１３に示すように、該内レール８１と該中レール８２が完全に引き離されると、線フレーム主体１の前アームフレーム１１と後アームフレーム１２はほとんど一直線を呈し、最大展開角度、距離を示す。線フレーム主体１中間位置のスライドカバー１４もサポートスライドブロック３に近いサポートフレーム２の一端からサポート嵌合部品４に近い反対端へとスライド移動する。
【図面の簡単な説明】
【００２４】
【図１】本考案の一実施例によるコード整理フレームの連接構造を示す斜視図である。
【図２】本考案の一実施例によるコード整理フレームの連接構造の局部を示す斜視図である。
【図３】本考案の一実施例によるコード整理フレームの連接構造の係合固定ボタンを示す模式図である。
【図４】本考案の一実施例によるコード整理フレームの連接構造の滑動組合せ部品を示す斜視図である。
【図５】本考案の一実施例によるコード整理フレームの連接構造の滑動組合せ部品に設置して支柱に架設する状態を示す斜視図である。
【図６】本考案の一実施例によるコード整理フレームの連接構造の線フレーム主体を設置部品により係合接続台に組立てる状態を示す斜視図である。
【図７】本考案の一実施例によるコード整理フレームの連接構造の設置部品を係合接続台に組立ててサポート嵌合部品を固定片に嵌接する状態を示す断面図である。
【図８】本考案の一実施例によるコード整理フレームの連接構造のサポートフレームがサポートスライドブロックにより外レールにスライド設置される状態を示す斜視図である。
【図９】本考案の一実施例によるコード整理フレームの連接構造のサポートフレームがサポート嵌合部品により中レールの後端の固定片に嵌接される状態を示す斜視図である。
【図１０】本考案の一実施例によるコード整理フレームの連接構造のサポートスライドブロックが外レールに挿入される状態を示す斜視図である。
【図１１】本考案の一実施例によるコード整理フレームの連接構造のサポートスライドブロックが外レールから取り外される状態を示す斜視図である。
【図１２】本考案の一実施例によるコード整理フレームの連接構造のコード整理フレームがスライドレール組合せ部品に従って引き伸ばされた初期の状態を示す斜視図である。
【図１３】本考案の一実施例によるコード整理フレームの連接構造のコード整理フレームがスライドレール組合せ部品に従って完全に引き伸ばされた状態を示す斜視図である。
【符号の説明】
【００２５】
１：線フレーム主体、２：サポートフレーム、３：サポートスライドブロック、４：サポート嵌合部品、５：設置部品、６：屈折片、７：係合固定ボタン、８：滑動組合せ部品、１１：前アームフレーム、１２：後アームフレーム、１３：中間フレーム、１４：スライドカバー、２１：外棒、２２：内棒、３１：可動接続片、３２：押圧部、３３：凸ブロック、７１：筒体、７２：栓棒、７３：プルボタン、７４：弾性部品、８１：内レール、８２：中レール、８３：外レール、８４：係合接続台、８４’：係合接続台、８５：固定片、８６：弾性ガード部品、９１：前受止めフレーム、９２：後受止めフレーム、９３：支柱、１３１：弧状槽、１４１：ガード、８４１：折片、８４１’：折片、８４２：ガード片、８４２’：ガード片、８４３：係合固定体、８４３’：係合固定体、８５１：穿孔、８６１：係合固定脚、８６２：ガード面
【図１】
0003135979.tif 000003
【図２】
0003135979.tif 000004
【図３】
0003135979.tif 000005
【図４】
0003135979.tif 000006
【図５】
0003135979.tif 000007
【図６】
0003135979.tif 000008
【図７】
0003135979.tif 000009
【図８】
0003135979.tif 000010
【図９】
0003135979.tif 000011
【図１０】
0003135979.tif 000012
【図１１】
0003135979.tif 000013
【図１２】
0003135979.tif 000014
【図１３】
0003135979.tif 000015